(57)【要約】  【課題】一般的な加工処理によってクレセント受け金具の強度補強を図り、バール等によるこじ開けによっても解錠されない堅固なクレセント錠を得る。  【解決手段】クレセント受け金具8は、略方形金属板の内部が切り抜かれ、先端側枠片部8D、上部枠片部8Eおよび下部枠片部8Fとを有し、前記先端側枠片部8Dの内側辺に前記クレセント7に係合するフック部8aが形成されるとともに、外側辺に断面略Ｌ字状に屈曲する起立リブ8cが形成され、かつ前記上部枠片部8Eおよび下部枠片部8Fの面にそれぞれ部材長手方向に沿って凹凸による平面リブ8e、8fが形成され、前記起立リブ8cが先端側枠片部8Dの上部領域及び下部領域まで延長して形成されるとともに、前記平面リブ8e、8fが先端側枠片部8D側に連続して形成され、前記先端側枠片部8Dの上部及び下部領域において、前記起立リブ8cと平面リブ8e、8fとが重なり代Ｓをもって形成されている。【選択図】  図２
2005030117.tif 000002
【特許請求の範囲】
【請求項１】
回動自在に取り付けられたクレセントを備え室内障子側に固定される施錠側金具と、前記クレセントが係合するフック部を備え室外障子側に固定されるクレセント受け金具とからなるクレセント錠において、
前記クレセント受け金具は、略方形金属板の内部が切り抜かれ、先端側枠片部、上部枠片部および下部枠片部を有し、前記先端側枠片部の内側辺に前記クレセントに係合するフック部が形成されるとともに、外側辺に断面略Ｌ字状に屈曲する起立リブが形成され、かつ前記上部枠片部および下部枠片部の面にそれぞれ部材長手方向に沿って凹凸による平面リブが形成され、
前記起立リブが先端側枠片部の上部領域及び下部領域まで延長して形成されるとともに、前記平面リブが先端側枠片部側に連続して形成され、前記先端側枠片部の上部領域及び下部領域において、前記起立リブと平面リブとが重なり代をもって形成されていることを特徴とするクレセント錠。
【請求項２】
前記上部枠片部から先端側枠片側に連続して形成された平面リブと、前記下部枠片部から先端側枠片部側に連続して形成された平面リブとが前記先端側枠片部において結合している請求項１記載のクレセント錠。
【請求項３】
前記上部枠片部の外側辺に断面略Ｌ字状に屈曲する起立リブが形成されるとともに、前記下部枠片部の外側辺に断面略Ｌ字状に屈曲する起立リブが形成されている請求項１、２いずれかに記載のクレセント錠。
【請求項４】
前記先端側枠片部において、フック部と起立リブとの間に該枠片部の幅方向に沿って凹凸による平面リブが形成されている請求項１〜３いずれかに記載のクレセント錠。
【発明の詳細な説明】
【技術分野】
【０００１】
本発明は、クレセント受け金具の強度補強を図ったクレセント錠に関する。
【背景技術】
【０００２】
従来より、引き違い窓等のサッシ用施錠装置としてクレセント錠が知られている。このクレセント錠は、図６に示されるように、室内障子５４の縦框に取り付けられるベース金物５１と、このベース金物５１に対してクレセント軸５３を介して回動自在に取り付けられた笠金状のクレセント５２と、室外障子５５に取り付けられ前記クレセント５２が係合するためのフック部５６ａを有するクレセント受け金具５６とからなる施錠装置５０である（例えば、下記特許文献１等参照）。
【特許文献１】特開平１１−９３４８８号公報
【発明の開示】
【発明が解決しようとする課題】
【０００３】
しかしながら、前記クレセント受け金具５６は、図７(A)(B)に示されるように、所定形状に裁断した薄板を曲げ加工した金具を使用しているため、障子の召合せ框部分にバールなどを差し込んで強引に障子の開方向に力を加えると、図８に示されるように、クレセント受け金具５６のフック部分５６ａが外側に大きく変形してクレセント５２から外れ、障子がこじ開けられてしまうことがあった。
【０００４】
一方で、納まりに制限の無い部材であれば、厚みを大きくしたり補強リブを形成するなどの一般的な剛性を増す処理や加工を施すことにより変形が起こらない構造とすることが可能であるけれども、クレセント受け金具の場合には、室内外面に隣接する障子が互いに開閉されるため、所定の厚み内で処理しなければならない等の制約があるとともに、製作コストの点からも加工が単純で済むことが強く要求される。
【０００５】
そこで本発明の主たる課題は、一般的な加工処理によってクレセント受け金具の強度補強を図り、バール等によるこじ開けによっても解錠されない堅固なクレセント錠を提供することにある。
【課題を解決するための手段】
【０００６】
前記課題を解決するために請求項１に係る本発明として、回動自在に取り付けられたクレセントを備え室内障子側に固定される施錠側金具と、前記クレセントが係合するフック部を備え室外障子側に固定されるクレセント受け金具とからなるクレセント錠において、
前記クレセント受け金具は、略方形金属板の内部が切り抜かれ、先端側枠片部、上部枠片部および下部枠片部を有し、前記先端側枠片部の内側辺に前記クレセントに係合するフック部が形成されるとともに、外側辺に断面略Ｌ字状に屈曲する起立リブが形成され、かつ前記上部枠片部および下部枠片部の面にそれぞれ部材長手方向に沿って凹凸による平面リブが形成され、
前記起立リブが先端側枠片部の上部領域及び下部領域まで延長して形成されるとともに、前記平面リブが先端側枠片部側に連続して形成され、前記先端側枠片部の上部領域及び下部領域において、前記起立リブと平面リブとが重なり代をもって形成されていることを特徴とするクレセント錠が提供される。
【０００７】
請求項２に係る本発明として、前記上部枠片部から先端側枠片側に連続して形成された平面リブと、前記下部枠片部から先端側枠片部側に連続して形成された平面リブとが前記先端側枠片部において結合している請求項１記載のクレセント錠が提供される。
【０００８】
請求項３に係る本発明として、前記上部枠片部の外側辺に断面略Ｌ字状に屈曲する起立リブが形成されるとともに、前記下部枠片部の外側辺に断面略Ｌ字状に屈曲する起立リブが形成されている請求項１、２いずれかに記載のクレセント錠が提供される。
【０００９】
請求項４に係る本発明として、前記先端側枠片部において、フック部と起立リブとの間に該枠片部の幅方向に沿って凹凸による平面リブが形成されている請求項１〜３いずれかに記載のクレセント錠が提供される。
【発明の効果】
【００１０】
以上詳説のとおり本発明によれば、一般的な加工処理によってクレセント受け金具の強度補強を図ることができ、バール等によるこじ開けによっても解錠されない堅固なクレセント錠を得ることができる。
【発明を実施するための最良の形態】
【００１１】
以下、本発明の実施の形態について図面を参照しながら詳述する。
図１は本発明に係るクレセント錠１の斜視図、図２はクレセント受け金具８の側面図及び正面図、図３はその平面図である。
【００１２】
クレセント錠１は、図１に示されるように、室内障子２の縦框に取り付けられるベース金物５と、このベース金物５に対してクレセント軸６を介して回動自在に取り付けられたクレセント７とからなる施錠側金物４と、室外障子３に取り付けられ、前記クレセント７が係合するためのフック部８ａを備えたクレセント受け金具８とから構成される。
【００１３】
そして、前記クレセント７に一体的に形成された操作レバー７Ａを摘み、クレセント７をほぼ１８０度範囲で回動させることにより、クレセント７の周囲に形成された、壁高を漸次テーパー状に変化させた環状周壁７Ｂが前記クレセント受け金具８に形成されたＬ字状のフック部８ａに対して係脱し、窓の施錠または解錠が成されるようになっている。
【００１４】
本発明では特に、バールなどにより障子が強引にこじ開けられ家屋に侵入される強盗事件が多発している事情に鑑み、前記クレセント受け金具８の強度補強を図るようにした。以下、具体的に図２及び図３に基づいて詳述する。
【００１５】
クレセント受け金具８は、略方形金属板の加工によって成形される部材であり、図２に示されるように、ビス孔８ｂ、８ｂが形成された室外障子３に対する固定部８Ａと、クレセント７が係合するためのフック部８ａが形成されたブラケット部８Ｂとから構成されている。
【００１６】
前記固定部８Ａとブラケット部８Ｂとの境界部には図３に示されるように、ブラケット部８Ｂが室外側に偏倚するように段差部８Ｃが形成され、室外障子３に取り付けられた状態で、フック部８ａ及び後述の起立リブ８ｃが室内障子２に接触又は衝突しないようになっている。
【００１７】
前記ブラケット部８Ｂにおいては、内部が切り抜かれ、この切り抜き部を囲むように先端側枠片部８Ｄ、上部枠片部８Ｅおよび下部枠片部８Ｆとが夫々形成され、前記先端側枠片部８Ｄの内側辺に連続して前記クレセント７に係合するフック部８ａが形成されているとともに、外側辺に連続して断面略Ｌ字状に屈曲する起立リブ８ｃが形成され、かつ前記上部枠片部８Ｅおよび下部枠片部８Ｆの面にそれぞれ、部材長手方向に沿ってプレス加工によって与えられた凹凸による平面リブ８ｅ、８ｆが形成されている。
【００１８】
そして、前記起立リブ８ｃが先端側枠片部８Ｄの上部領域及び下部領域まで延長して形成されているとともに、前記平面リブ８ｅ、８ｆが先端側枠片側８Ｄ側に連続して形成され、前記先端側枠片８Ｄの上部領域及び下部領域において、前記起立リブ８ｃと平面リブ８ｅ、８ｆとが重なり代Ｓ、Ｓをもって共に形成されている。
【００１９】
なお、図示例では前記先端側枠片部８Ｄの中央部において、フック部８ａと起立リブ８ｃとの間にも水平方向（幅方向）に沿って凹凸による平面リブ８ｇが形成されている。
【００２０】
前記起立リブ８ｃ、平面リブ８ｅ、８ｆを有しない従来形状のクレセント受け金具（図７(B)参照）の場合、障子２，３をバールによりこじ開け前記フック部８ａに過度の力Ｆを加えると、前記フック部８ａのみが大きく変形するのではなく、上部枠片部８Ｅおよび下部枠片部８Ｆが曲げ変形を受けると同時に、先端側枠片部８Ｄの上部領域及び下部領域が捻れるように変形しフック部８ａがクレセント７の環状周壁７Ｂから外れることが実験により明らかとなった。
【００２１】
そこで、本クレセント錠１では、前記上部枠片部８Ｅおよび下部枠片部８Ｆの面にそれぞれ凹凸による平面リブ８ｅ、８ｆを形成することにより断面剛性を高め、曲げによる変形を抑制するようにするとともに、前記先端側枠片８Ｄの外側辺に連続して断面略Ｌ字状に屈曲する起立リブ８ｃを形成することにより先端側枠片部８Ｄの断面剛性を高め、曲げ変形及び捻れ変形を抑制するようにした。
【００２２】
さらに、前記平面リブ８ｅ、８ｆを上部枠片部８Ｅおよび下部枠片部８Ｆの部材長手方向に沿って直線状に形成した実験では、先端側枠片部８Ｄと、上部枠片部８Ｅおよび下部枠片部８Ｆとの結合部分に補強の不連続部、すなわち前記起立リブ８ｃや平面リブ８ｅ，８ｆによって補強されていない未補強部ができてしまうことになり、ここで大きく捻れ変形が生じてしまうことが知見された。従って、前述のように、前記起立リブ８ｃを先端側枠片部８Ｄの上部領域及び下部領域まで延長して形成するとともに、前記平面リブ８ｅ、８ｆを先端側枠片８Ｄ側に連続して形成し、前記先端側枠片部８Ｄの上部領域及び下部領域において、前記起立リブ８ｃと平面リブ８ｅ、８ｆとを重なり代Ｓ、Ｓをもって形成するようにした。その結果、先端側枠片部８Ｄと上部枠片部８Ｅおよび下部枠片部８Ｆとの結合部分に補強の不連続部が無くなり、障子２，３をバールによりこじ開けてもクレセント錠１が解錠されるのを防止できるようになった。
【００２３】
〔他の形態例〕
(1)上記形態例では、平面リブ８ｅ、８ｆの形成態様に関し、先端側枠片部８Ｄ側に連続するように横レ字状に形成するようにしたが、図４に示されるように、前記上部枠片部８Ｅから先端側枠片部８Ｄ側に連続して形成された平面リブ８ｅと、前記下部枠片部８Ｆから先端側枠片部８Ｄ側に連続して形成された平面リブ８ｆとを前記先端側枠片部８Ｄ内において結合するようにしてもよい。
(2)上記形態例では、上部枠片部８Ｅおよび下部枠片部８Ｆには、補強として平面リブ８ｅ、８ｆのみを形成するようにしたが、図５に示されるように、前記上部枠片部８Ｅの外側辺に断面略Ｌ字状に屈曲する起立リブ８ｈを形成するとともに、前記下部枠片部８Ｆの外側辺に断面略Ｌ字状に屈曲する起立リブ８ｉを形成するようにしてもよい。
【図面の簡単な説明】
【００２４】
【図１】本発明に係るクレセント錠１の斜視図である。
【図２】クレセント受け金具８を示す、(A)は側面図、(B)は正面図である。
【図３】その平面図である。
【図４】クレセント受け金具８の変形例を示す正面図である。
【図５】クレセント受け金具８の他の変形例を示す、(A)は正面図、(B)は平面図である。
【図６】従来のクレセント錠５０の斜視図である。
【図７】そのクレセント受け金具５６の斜視図である。
【図８】障子２，３がこじ開けられた際のクレセント受け金具５６の変形状態を示す斜視図である。
【符号の説明】
【００２５】
１…クレセント錠、２…室内障子、３…室外障子、４…施錠側金物、５…ベース金物、６…クレセント軸、７…クレセント、７Ｂ…環状周壁、８…クレセント受け金具、８ａ…フック部、８Ｄ…先端側枠片部、８Ｅ…上部枠片部、８Ｆ…下部枠片部、８ｃ…起立リブ、８ｅ・８ｆ…平面リブ
【図１】
2005030117.tif 000003
【図２】
2005030117.tif 000004
【図３】
2005030117.tif 000005
【図４】
2005030117.tif 000006
【図５】
2005030117.tif 000007
【図６】
2005030117.tif 000008
【図７】
2005030117.tif 000009
【図８】
2005030117.tif 000010